(57)【要約】【課題】おもりの積込む、または積み下ろし作業の際のおもりの破損を低減し、またその作業性も向上するエレベータの釣合おもりのおもり枠を得る。【解決手段】この発明に係るエレベータの釣合おもりのおもり枠は、第１の縦枠部６と第２の縦枠部９との間には、おもりの出し入れをする側の開口部側の第２の縦枠部９を第１の縦枠部６に対して開口部の幅寸法を拡大する方向に移動させるヒンジ８が設けられている。【選択図】図５
2013170012.tif 000002
【特許請求の範囲】
【請求項１】
互いに対向した一対の下枠と、
この下枠の上側に設けられ互いに対向した一対の上枠と、
前記下枠及び前記上枠のそれぞれの両端部に上端部及び下端部がそれぞれ締結手段で固定され、水平断面がコの字形状であって開口側で互いに対向した第１の縦枠及び第２の縦枠とを備えたエレベータの釣合おもりのおもり枠であって、
前記第１の縦枠及び前記第２の縦枠の少なくとも一方は、昇降方向に沿って延びた、第１の縦枠部及び第２の縦枠部とから構成され、
また前記第１の縦枠部と前記第２の縦枠部との間には、おもりの出し入れをする側の開口部側の第２の縦枠部を開口部の幅寸法を拡大する方向に第１の縦枠部に対して移動させる移動手段が設けられていることを特徴とするエレベータの釣合おもりのおもり枠。
【請求項２】
前記移動手段は、ヒンジであり、前記第２の縦枠部は、前記ヒンジを中心に水平方向に回動するようになっていることを特徴とする請求項１に記載のエレベータの釣合おもりのおもり枠。
【請求項３】
前記ヒンジは、前記第１の縦枠部のかご側の端部に設けられていることを特徴とする請求項２に記載のエレベータの釣合おもりのおもり枠。
【請求項４】
前記ヒンジは、前記第１の縦枠部の昇降路壁側の端部に設けられていることを特徴とする請求項２に記載のエレベータの釣合おもりのおもり枠。
【請求項５】
互いに対向した一対の下枠と、
この下枠の上側に設けられ互いに対向した一対の上枠と、
前記下枠及び前記上枠のそれぞれの両端部に上端部及び下端部がそれぞれ締結手段で固定され、水平断面がコの字形状であって開口側で互いに対向した第１の縦枠及び第２の縦枠とを備えたエレベータの釣合おもりのおもり枠であって、
前記第１の縦枠及び前記第２の縦枠の少なくとも一方は、昇降方向に沿って延びた、第１の縦枠部及び第２の縦枠部とから構成され、
またおもりの出し入れをする側の開口部側の第２の縦枠部を開口部の幅寸法を拡大する方向に第１の縦枠部に対して移動させる移動手段を有し、
前記移動手段は、前記下枠の下面端部に水平方向に延びて固定されているとともに溝部を有する第１の案内板と、前記第２の縦枠部の下側端部に垂直方向に延びて固定され前記第１の案内板の前記溝部に当接する第１の移動板とを含み、
前記第２の縦枠部は、前記第１の案内板により前記第１の移動板の移動が案内されて水平方向に移動するようになっていることを特徴とするエレベータの釣合おもりのおもり枠。
【発明の詳細な説明】
【技術分野】
【０００１】
この発明は、おもりを積載するエレベータの釣合おもりのおもり枠に関する。
【背景技術】
【０００２】
従来、互いに対向した一対の縦枠の上部にそれぞれ切り欠き部が形成されたエレベータの釣合おもりのおもり枠が知られている（例えば、特許文献１参照）。
上記構成のエレベータの釣合おもりのおもり枠では、おもり枠におもりを積込む、または積下ろす際に、この切り欠き部では、対向した縦枠間の開口部の幅の距離がおもりの長さよりも長いために、おもりを水平方向に移動しておもり枠におもりを積込む、または積下ろすことができる。
【先行技術文献】
【特許文献】
【０００３】
【特許文献１】特開平８-１６９６６８号公報（図９）
【発明の概要】
【発明が解決しようとする課題】
【０００４】
しかしながら、上記構成のエレベータの釣合おもりのおもり枠では、切り欠き部の下側は、おもり枠の開口部の幅の長さがおもりの長さよりも短いため、斜めに傾けて積込む、または積み下ろし作業をせざるを得ず、そのため下記のような問題点があった。
イ．おもりを置く際、最後まで手を添えて静かに置かずに上から落とすように置いた場合に、おもりが破損する可能性がある。
ロ．おもりの長さが長いほど、おもりの傾斜角度を大きくしながら積込み、または積下ろしをする必要性があり、その作業性が悪い。
【０００５】
この発明は、上記のような問題点を解決することを課題とするものであって、おもりの積込む、または積み下ろし作業の際のおもりの破損を低減し、またその作業性も向上するエレベータの釣合おもりのおもり枠を得ることを目的とする。
【課題を解決するための手段】
【０００６】
この発明に係るエレベータの釣合おもりのおもり枠は、
互いに対向した一対の下枠と、
この下枠の上側に設けられ互いに対向した一対の上枠と、
前記下枠及び前記上枠のそれぞれの両端部に上端部及び下端部がそれぞれ締結手段で固定され、水平断面がコの字形状であって開口側で互いに対向した第１の縦枠及び第２の縦枠とを備えたエレベータの釣合おもりのおもり枠であって、
前記第１の縦枠及び前記第２の縦枠の少なくとも一方は、昇降方向に沿って延びた、第１の縦枠部及び第２の縦枠部とから構成され、
また前記第１の縦枠部と前記第２の縦枠部との間には、おもりの出し入れをする側の開口部側の第２の縦枠部を開口部の幅寸法を拡大する方向に第１の縦枠部に対して移動させる移動手段が設けられている。
【発明の効果】
【０００７】
この発明に係るエレベータの釣合おもりのおもり枠によれば、第１の縦枠部と第２の縦枠部との間に、開口部側の第２の縦枠部を開口部の幅寸法を拡大する方向に移動させる移動手段を設けたので、おもりの積込む、または積み下ろし作業の際のおもりの破損は低減し、またその作業性も向上する。
【図面の簡単な説明】
【０００８】
【図１】この発明の実施の形態１のエレベータの釣合おもりのおもり枠を示す正面図である。
【図２】図１の平面図である。
【図３】図３（ａ）はヒンジの平面図、図３（ｂ）は図３（ａ）の正面図、図３（ｃ）は図３（ａ）の右側面図である。
【図４】図１のおもり枠の開口部が拡大したときを示す正面図である。
【図５】図４の平面図である。
【図６】図６（ａ）−図６（ｄ）は、図１のおもり枠におもりを積み込むときの手順を示す図である。
【図７】この発明の実施の形態２のエレベータの釣合おもりのおもり枠を示す正面図である。
【図８】図７の平面図である。
【図９】図７のおもり枠の開口部が拡大したときを示す正面図である。
【図１０】図９の平面図である。
【図１１】図１１（ａ）−図１１（ｄ）は、図７のおもり枠におもりを積み込むときの手順を示す平面図である。
【図１２】この発明の実施の形態３のエレベータの釣合おもりのおもり枠を示す平面図である。
【図１３】図１２のおもり枠の開口部が拡大したときを示す正面図である。
【図１４】図１４（ａ）−図１４（ｄ）は、図１２のおもり枠におもりを積み込むときの手順を示す平面図である。
【発明を実施するための形態】
【０００９】
以下、この発明の各実施の形態のエレベータの釣合おもりのおもり枠を図に基づいて説明するが、各図において、同一、または相当部材、部位については同一符号を付して説明する。
【００１０】
実施の形態１．
図１はこの発明の実施の形態１のエレベータの釣合おもりのおもり枠を示す正面図、図２は図１の平面図である。
このおもり枠は、断面コの字形状の下枠１と、この下枠１の上側に設けられ、下枠１と同様の断面コの字形状の上枠２と、下枠１及び上枠２のそれぞれの一端部と両端部が締結手段であるボルト３で固定された第１の縦枠４と、下枠１及び上枠２のそれぞれの他端部と両端部が締結手段であるボルト３で固定された第２の縦枠５とを備えている。
第１の縦枠４及び第２の縦枠５は、水平断面がコの字形状であってその開口側で互いに対向している。
下枠１では、上方向が開口し、かご側及び昇降路側のそれぞれの端部が９０°に折曲されている。上枠２では、下方向が開口し、かご側及び昇降路側のそれぞれの端部が９０°に折曲されている。
おもり枠は、それぞれの隅部（８箇所）に用いられたボルト３により、下枠１、上枠２、第１の縦枠４及び第２の縦枠５が一体化されて構成されている。
【００１１】
第２の縦枠５は、断面Ｌの字形状の第１の縦枠部６と、この第１の第１の縦枠部６に対して昇降方向に間隔をあけて設けられた複数のヒンジ８を介して取付けられた長方形状の第２の縦枠部９とから構成されている。
【００１２】
図３（ａ）はヒンジ８の平面図、図３（ｂ）は図３（ａ）の正面図、図３（ｃ）は図３（ａ）の右側面図である。
ヒンジ８は、第１の縦枠部６になべねじ１０で固定された第１の片部１１と、この第１の片部１１に軸１３を介して取付けられているととものなべねじ１０で第２の縦枠部９に固定された第２の片部１２とから構成されている。
【００１３】
図４はこの第２の縦枠部９がヒンジ８の軸１３を中心に１８０°回動したときのおもり枠の正面図、図５はそのときの平面図である。
第２の縦枠部９を矢印Ａの方向に回動させることで、おもり枠のかご側の開口部の幅寸法Ｘ１（図２）からＸ２に拡大する。
【００１４】
図６（ａ）−図６（ｄ）は、複数枚のおもり１４をおもり枠に積み込むときの手順を示す図である。
先ず、第２の縦枠５の第２の縦枠部９と、下枠１と上枠２とを固定したボルト３を外し、第２の縦枠部９をヒンジ８の軸１３を中心に回動し、おもり枠の手前側（かご側）の間口部の幅寸法を大きくする。
その後、第１の縦枠４の端部におもり１４の端部を当接し、この当接部位を起点としておもり７を矢印に示す反時計方向に水平に回動させ、おもり枠に積み込む（図６（ａ）-図６（ｃ））。
おもり１４の積み込みが完了したら、第２の縦枠部９をヒンジ８の軸１３を中心に１８０°時計方向に回動させ、ボルト３を用いて第２の縦枠部９を下枠１及び上枠２の端部に固定する（図６（ｄ））。
なお、おもり１４を水平に反時計方向に回動させ、おもり枠に積み込む作業は、下枠１から上での作業であり、下枠１の高さまでは、おもり１４の片側を持ち上げておもり枠に積み込む作業を必要とする。
【００１５】
この実施の形態のエレベータの釣合おもりのおもり枠によれば、第１の縦枠部６と第２の縦枠部９との間に、開口部側の第２の縦枠部９を開口部の幅寸法を拡大する方向に水平回動させるヒンジ８を設けたので、おもり１４の積込む、または積み下ろし作業の際、おもり１４を斜めに傾けることなく水平移動させてその作業を行なえばよく、その作業の際におもり１４の破損は低減し、またその作業性も向上する。
【００１６】
実施の形態２．
図７はこの発明の実施の形態２のエレベータの釣合おもりのおもり枠を示す正面図、図８は図７の平面図である。
この実施の形態では、第２の縦枠５Ａは、断面コの字形状であって、断面Ｌの字形状の第１の縦枠部６Ａと複数の締結手段であるボルト２２で固定された断面Ｌの字形状の第２の縦枠部９Ａとから構成されている。ボルト２２は、昇降方向に沿って一定の間隔を空けて設けられている。
下枠１の第２の縦枠５Ａ側の下端面には、奥行の全域にわたって延びた矩形状の第１の案内板２０が固定されている。上枠２の第２の縦枠５Ａ側の上端面にも、奥行の全域にわたって延びた第２の案内板２１が固定されている。下枠１に固定された第１の案内板２０と上枠２に固定された第２の案内板２０とは互いに対向しており、またそれぞれには溝が形成されている。
【００１７】
第２の縦枠部９Ａの下側端部の外側には、ボルト３が貫通する穴を有する第１の移動板２３が昇降方向に延びて固定されている。第２の縦枠部９Ａの上側端部の外側にも、ボルト３が貫通する穴を有する第２の移動板２４が昇降方向に延びて固定されている。
第１の移動板２３は、その下端部が第１の案内板２０の溝部内に臨んでいる。第２の移動板２４は、その上端部が第２の案内板２１の溝部内に臨んでいる。
他の構成は、実施の形態１のエレベータの釣合おもりのおもり枠と同じである。
【００１８】
図９はこの第２の縦枠部９Ａが、第１の移動板２３が第１の案内板２０の溝に沿って移動し、第１の移動板２４が第２の案内板２１の溝に沿って移動したときのおもり枠の正面図、図１０はそのときの平面図である。
第２の縦枠部９Ａを矢印Ｂの方向に移動させることで、おもり枠のかご側の開口部の幅寸法Ｘ１（図８）からＸ２に拡大する。
【００１９】
図１１（ａ）−図１１（ｄ）は、複数枚のおもり１４をおもり枠に積み込むときの手順を示す図である。
先ず、第２の縦枠５Ａの第２の縦枠部９Ａと、下枠１及び上枠２とを固定したボルト３を外し、また第１の縦枠部６Ａと第２の縦枠部９Ａとを固定したボルト２２を外す。
その後、第２の縦枠部９Ａを水平方向に移動し、おもり枠の手前側（かご側）の間口部の幅寸法を大きくする。
その後、第１の縦枠４の端部におもり１４の端部を当接し、この当接部位を起点としておもり７を反時計方向に水平回動させ、おもり枠に積み込む（図１１（ａ）-図１１（ｃ））。
おもり１４の積み込みが完了した後、第２の縦枠部９Ａを第２の縦枠５Ａにボルト２２を用いて固定し、また第２の縦枠部９Ａを下枠１及び上枠２に固定する（図１１（ｄ））。
【００２０】
この実施の形態によるエレベータの釣合おもりのおもり枠によれば、下枠１の下面端部に水平方向に延びて固定されているとともに溝部を有する第１の案内板２０と、第２の縦枠部６Ａの下側端部に垂直方向に延びて固定され第１の案内板２０の溝部に当接する第１の移動板２３と、上枠２の上面端部に水平方向に延びて固定されているとともに溝部を有する第２の案内板２１と、第２の縦枠部６Ａの上側端部に垂直方向に延びて固定され第２の案内板２１の溝部に当接する第２の移動板２４とからなる移動手段を備えたので、この移動手段により、第２の縦枠部９Ａは水平方向に移動することで、おもり１４を出し入れする開口部の幅寸法が拡大する。
従って、おもり１４の積込む、または積み下ろし作業の際、おもり１４を斜めに傾けることなく水平移動させてその作業を行なえばよく、その作業の際、おもり１４の破損は低減し、またその作業性も向上する。
【００２１】
なお、上記移動手段として、第２の案内板２１及びこの第２の案内板２１の溝部に先端部が当接する第２の移動板２４が無くても、同様の効果を得ることができる。
【００２２】
実施の形態３．
図１２はこの発明の実施の形態３のエレベータの釣合おもりのおもり枠を示す平面図である。
この実施の形態では、第２の縦枠５Ｂは、昇降方向に延びた長方形状の第１の縦枠部６Ｂと、この第１の縦枠部６Ｂに対して昇降方向に間隔をあけて設けられた複数のヒンジ８を介して取付けられた断面Ｌの字形状の第２の縦枠部９Ｂとから構成されている。
この実施の形態では、ヒンジ８は昇降路壁側に設けられており、図１３に示すように、第２の縦枠部９Ｂは、このヒンジ８を中心に矢印Ｃの方向に回動し、おもり枠のかご側の開口部の幅寸法Ｘ１からＸ２に拡大する。
他の構成は、実施の形態１と同じである。
また、実施の形態１の第２の縦枠部９と比較して、第２の縦枠部９Ｂが長く、それだけ回動させるのに力がかかり、また回動領域も大きくなるものの、実施の形態１と同様の効果を得ることができる。
【００２３】
なお、上記の各実施の形態では、何れも第２の縦枠５，５Ａ，５Ｂに移動手段を設けた場合について説明したが、第１の縦枠４についても同様に移動手段を設けることで、おもり１４の出し入れ側の開口部の幅寸法をより大きくするようにしてもよい。
また、実施の形態１，３では、移動手段としてヒンジ８を用いた場合について説明したが、この例は一例であり、このものに限定されない。
また、上記各実施の形態では、締結手段としてボルト３，２２を用いたが、これに関しても一例であり、このものに限定されない。
【符号の説明】
【００２４】
１  下枠、２  上枠、３  ボルト（締結手段）、４  第１の縦枠、５，５Ａ，５Ｂ  第２の縦枠、６，６Ａ，６Ｂ  第１の縦枠部、８  ヒンジ（移動手段）、９，９Ａ，９Ｂ  第２の縦枠部、１０  なべねじ、１１  第１の片部、１２  第２の片部、１３  軸、１４  おもり、２０  第１の案内板、２１  第２の案内板、２２  ボルト（締結手段）、２３  第１の移動板、２４  第２の移動板。
【図１】
2013170012.tif 000003
【図２】
2013170012.tif 000004
【図３】
2013170012.tif 000005
【図４】
2013170012.tif 000006
【図５】
2013170012.tif 000007
【図６】
2013170012.tif 000008
【図７】
2013170012.tif 000009
【図８】
2013170012.tif 000010
【図９】
2013170012.tif 000011
【図１０】
2013170012.tif 000012
【図１１】
2013170012.tif 000013
【図１２】
2013170012.tif 000014
【図１３】
2013170012.tif 000015
【図１４】
2013170012.tif 000016